(57)【要約】【課題】  本発明は、地盤の凹凸や高低差に左右されず杭心位置出しや杭施工の精度が向上出来、杭心位置出し作業を１回で行うことが出来、杭心位置出しや杭施工の効率化を図り、杭心位置出し作業時間を短縮することが出来る位置出し装置を提供することを可能にすることを目的としている。【解決手段】  高さと水平を調整出来る脚２を有する平板３と、該平板３の上面に同一高さで、かつ、所定の寸法離れた位置に取り付けられた２台のターンテーブル４，５と、それぞれのターンテーブル４，５に固定され、水平方向にレーザ光６ａ，７ａを照射し得るレーザポインタ６，７と、２台のターンテーブル４，５のうち少なくとも１台のターンテーブル直下の位置を検出するターンテーブル直下位置検出手段と、それぞれのターンテーブル４，５を、指定された角度に応じて回転するための回転操作機８とを有する構成としたことを特徴とする。【選択図】      図１
2008292163.tif 000002
【特許請求の範囲】
【請求項１】
高さと水平を調整出来る脚を有する平板と、
前記平板の上面に同一高さで、かつ、所定の寸法離れた位置に取り付けられた２台のターンテーブルと、
前記それぞれのターンテーブルに固定され、水平方向にレーザ光を照射し得るレーザポインタと、
前記２台のターンテーブルのうち少なくとも１台のターンテーブル直下の位置を検出するターンテーブル直下位置検出手段と、
前記それぞれのターンテーブルを、指定された角度に応じて回転するための回転操作手段と、
を有することを特徴とする位置出し装置。
【請求項２】
前記平板に、前記ターンテーブル直下の位置以外の直下の位置を検出する直下位置検出手段を設けたことを特徴とする請求項１に記載の位置出し装置。
【請求項３】
前記回転操作手段に回転角信号を送信する回転角信号送信手段を有することを特徴とする請求項１に記載の位置出し装置。
【発明の詳細な説明】
【技術分野】
【０００１】
本発明は、位置出し装置に関するものである。
【背景技術】
【０００２】
従来、建築物の杭打ちの際には、実際の杭打ち作業に入る前に、杭打ち業者以外の業者が事前に杭心位置出し作業を行なっている。その後、杭打ち業者が現場で事前の杭心位置出しを再確認し、ずれ等を手直ししてから、実際の杭打ち作業に取り掛かっているのが現状である。
【０００３】
事前の杭心位置出し作業は、光波測定器やトランシット等を用いて精度良く出すこともあるが、通常はメジャーや水糸を用いた手作業で行なわれ、また建築現場の整地が十分行なわれていないために杭心位置出し精度が低く、再確認や手直しの必要が生じている。そして、再確認や手直しも、同様の手作業で行なわれているため、結局、杭心位置出しの精度がそれほど上がらないままで、杭打ち作業に入らざるを得ないといった現状がある。
【０００４】
例えば、特開２００４−３１７４０６号公報（特許文献１）には、光波測定器から発する１本のレーザ光や光波を受光器具が受光して、受光治具に付いているプリズムにより杭打ち位置を決める方法が示されている。
【０００５】
【特許文献１】特開２００４−３１７４０６号公報
【発明の開示】
【発明が解決しようとする課題】
【０００６】
しかしながら、前述の特許文献１の技術では、光波測定器から発せられるレーザ光と受光治具は、一対一で対応しており、受光治具を杭位置ごとに移動するため、精度は高いものの杭心位置出し作業としての効率は、決して高くないのが現状である。
【０００７】
本発明は前記課題を解決するものであり、その目的とするところは、地盤の凹凸や高低差に左右されず杭心位置出しや杭施工の精度が向上出来、杭心位置出し作業を１回で行うことが出来、杭心位置出しや杭施工の効率化を図り、杭心位置出し作業時間を短縮することが出来る位置出し装置を提供せんとするものである。
【課題を解決するための手段】
【０００８】
前記目的を達成するための本発明に係る位置出し装置の第１の構成は、高さと水平を調整出来る脚を有する平板と、前記平板の上面に同一高さで、かつ、所定の寸法離れた位置に取り付けられた２台のターンテーブルと、前記それぞれのターンテーブルに固定され、水平方向にレーザ光を照射し得るレーザポインタと、前記２台のターンテーブルのうち少なくとも１台のターンテーブル直下の位置を検出するターンテーブル直下位置検出手段と、前記それぞれのターンテーブルを、指定された角度に応じて回転するための回転操作手段とを有することを特徴とする。
【０００９】
また、本発明に係る位置出し装置の第２の構成は、前記第１の構成において、前記平板に、前記ターンテーブル直下の位置以外の直下の位置を検出する直下位置検出手段を設けたことを特徴とする。
【００１０】
また、本発明に係る位置出し装置の第３の構成は、前記第１の構成において、前記回転操作手段に回転角信号を送信する回転角信号送信手段を有することを特徴とする。
【発明の効果】
【００１１】
本発明に係る位置出し装置の構成によれば、事前に、本発明に係る位置出し装置と杭打ち位置との角度を計算してコンピュータシステム等の記憶部に記憶させておき、現場に本発明に係る位置出し装置を設置し、任意の杭に対して、２箇所のレーザポインタから同時にレーザ光を照射し、杭位置が２本のレーザ光の交点の直下に示される。
【００１２】
また、杭位置を確認する受光部が簡便なためハンドリングが良く、杭心位置出しの作業時間が短縮される。また、本発明に係る位置出し装置を用いることで、事前に杭心位置出し作業やその再確認作業が不要となり、杭心位置出し作業を１回で行うことが出来る。
【発明を実施するための最良の形態】
【００１３】
図により本発明に係る位置出し装置の一実施形態を具体的に説明する。図１（ａ）は本発明に係る位置出し装置の構成を示す模式平面図、図１（ｂ）は本発明に係る位置出し装置の構成を示す模式立面図、図２（ａ），（ｂ）はターンテーブル上のレーザポインタを水平方向に配置した様子を示す模式平面図及び模式側面図、図２（ｃ），（ｄ）はターンテーブル上のレーザポインタを鉛直方向に配置した様子を示す模式平面図及び模式側面図、図３は本発明に係る位置出し装置により杭心位置出しを行う様子を示す模式平面図、図４は本発明に係る位置出し装置の動作を説明する図である。
【００１４】
図１〜図４において、１は位置出し装置であって、高さと水平を調整出来る脚２を有する平板３が設けられており、該平板３には、水平を確認するための水平器３ａが設けられている。
【００１５】
また、平板３には、該平板３の上面に同一高さで、かつ、所定の寸法離れた位置に取り付けられた２台のターンテーブル４，５が設けられており、該ターンテーブル４，５は回転操作手段となるパルスモータ等を駆動源とする回転操作機８により指定された角度に応じて回転する。平板３を水平に設置した際は、２台のターンテーブル４，５の高さは同じになる。
【００１６】
また、それぞれのターンテーブル４，５には水平方向にレーザ光６ａ，７ａを照射し得るレーザポインタ６，７が固定して設けられている。レーザポインタ６，７は、図２に示すように、水平方向と鉛直方向に角度が振れる角度調節機構が設けられており、平板３を水平に設置したとき、レーザポインタ６とレーザポインタ７とは、同じ高さでレーザを照射出来るようになっている。
【００１７】
また、各ターンテーブル４，５に設けられたレーザポインタ６，７を図２（ｃ），（ｄ）に示すように、鉛直に固定したとき、ターンテーブル４，５の中心に開いた穴４ａ，５ａからターンテーブル４，５の中心の直下にレーザ光６ａ，７ａを照射出来、これにより２台のターンテーブル４，５のうち少なくとも１台のターンテーブル直下の位置を検出するターンテーブル直下位置検出手段として構成される。
【００１８】
平板３に設けられ、ターンテーブル４，５直下の位置以外の直下の位置を検出する直下位置検出手段として基準補助点９が設けられており、該基準補助点９には、平板３に穴を設けて該穴から直下にレーザ光を照射出来る図示しないレーザポインタが付いていたり、平板３の裏面側から垂下する下げ振りが付いていたり、平板３の裏面側から鉛直に伸縮する棒等が取り付いており、これにより基準補助点９の直下を示すことが出来るように構成される。
【００１９】
また、位置出し装置１には回転操作手段となる回転操作機８にターンテーブル４，５の回転角信号を送信する回転角信号送信手段となるコンピュータシステムで構成される計算機10が通信ケーブル等により接続されている。
【００２０】
図１及び図２に示すように、ターンテーブル４の回転中心と基準補助点９とを結んだ直線ａ１と、ターンテーブル５の回転中心と基準補助点９とを結んだ直線ａ２とは直角をなしており、各ターンテーブル４，５の回転中心を通る任意の線上にレーザポインタ６，７が配置されている。従って、ターンテーブル４，５が回転すると、レーザポインタ６，７も一緒に回転する。
【００２１】
そして、図３に示すように、任意の基準点ｄを定め、該基準点ｄを通る基準線ｄ１と、基準点ｄを通り基準線ｄ１と直角をなす基準線ｄ２を定める。
【００２２】
例えば、建築物の杭を打設する場合は、建築物の外周部が直角であれば、そのうちの１ヶ所の出隅部を基準点ｄとし、出隅を通る外周部の一辺を基準線ｄ１、もう一辺を基準線ｄ２とする。そして、基準点ｄの直上に、ターンテーブル４の回転中心が来るように、また基準線ｄ２の直上に基準補助点９が来るように、更に平板３が水平になるように、位置出し装置１を配置したものと仮定する。
【００２３】
上記のように位置出し装置１の配置を仮定し、任意の杭心に向けて各ターンテーブル４，５を回転させたときに、レーザポインタ６から出射されるレーザ光６ａと基準線ｄ１とのなす角度をθ１、レーザポインタ７から出射されるレーザ光７ａと基準線ｄ１とのなす角度をθ２とする。
【００２４】
建築物の杭は通常複数本あり、その各杭について、各ターンテーブル４，５を向けたときの角度θ１，θ２を計算し、回転角信号送信手段となる計算機10に設けられた記憶部に記憶させる。各杭の杭心位置に対応する角度θ１，θ２は、基準点ｄと各杭の杭心位置との距離が建物形状や測量により既知であれば、幾何学的に求めることが出来る。
【００２５】
上記位置出し装置１を用いて杭心位置の位置出しを行う場合には、先ず、建築現場で、上記事前準備通りの位置に位置出し装置１を設置する。その際、障害物、地盤の凹凸、地盤の高低差でレーザ光６ａ，７ａが遮られないような高さに脚２の高さを調整し、水平器３ａを視認しながら平板３を水平にして固定する。
【００２６】
そして、任意の杭を選択し、計算機10等により事前に計算された角度θ１，θ２に従って各ターンテーブル４，５を回転させる。ターンテーブル４，５の回転操作が終わったらその位置で固定し、各レーザポインタ６，７からレーザ光６ａ，７ａを同時に照射する。
【００２７】
杭打ち予定の杭心位置の直上で、レーザ光６ａ，７ａが交差するため、その交点を受光部11で確認し、その直下をマークして杭打設位置とする。受光部11としては、レーザ光６ａ，７ａが映りやすい紙や板、煙の入った透明な箱11ａ等のレーザ光６ａ，７ａを可視化出来るものやレーザパワーメーター等のレーザ光６ａ，７ａの強さを数値化出来るものを採用することが出来る。
【００２８】
受光部11には、レーザ光６ａ，７ａが交差する交点の鉛直直下をマーク出来るもの、例えば下げ振りや水平器付きの棒、鉛直に伸縮する棒等が取り付いている。この作業を杭打設予定位置の全てについて行うことで杭心位置出し作業が出来る。
【００２９】
ここで、図４に示すように、回転操作手段となる回転操作機８に回転角信号を送信する回転角信号送信手段となる計算機10に記憶された任意の杭の杭心位置に対応するターンテーブル４の基準線ｄ１からの回転角をθ１とする。そして、計算機10からパルスモータからなる回転操作機８に回転角指示信号θ１を送る（ステップＳ１）。
【００３０】
次に、パルスモータからなる回転操作機８では、回転角指示信号θ１をモータからなる信号変換駆動部12でギアが回転出来る情報である操作信号θxに変換する（ステップＳ２）。操作信号θxはモータからなる信号変換駆動部12に送られ、該操作信号θxに従って信号変換駆動部12がモータにより回転駆動されるギアを駆動し、ターンテーブル４がθx分だけ回転してターンテーブル４の基準線ｄ１からの回転角をθ１とする（ステップＳ３）。ターンテーブル５についても同様に角度制御される。
【００３１】
尚、ターンテーブル４，５の回転操作は手動操作で行う構成とすることも出来る。
【００３２】
上記構成によれば、事前に、位置出し装置１と杭打ち位置との角度を計算してコンピュータシステムからなる計算機10の記憶部に記憶させておき、現場に位置出し装置１を設置し、任意の杭に対して２箇所のレーザポインタ６，７から同時にレーザ光６ａ，７ａを照射し、杭位置が２本のレーザ光６ａ，７ａの交点の直下に示される。
【００３３】
また、杭位置を確認する受光部11が簡便なためハンドリングが良く、杭心位置出しの作業時間が短縮される。また、位置出し装置１を用いることで、事前に杭心位置出し作業やその再確認作業が不要となり、杭心位置出し作業を１回で行うことが出来る。
【産業上の利用可能性】
【００３４】
本発明の活用例として、建築物の建つ位置の位置出し（地縄張り）、施工後の杭位置のずれ確認、基礎鉄筋や鉄骨位置の確認、建物内の大きい部屋内の配置指示（例えばオフィス内の事務機器の配置等)、舞台装置の位置出し等に広く利用出来る。
【図面の簡単な説明】
【００３５】
【図１】（ａ）は本発明に係る位置出し装置の構成を示す模式平面図、（ｂ）は本発明に係る位置出し装置の構成を示す模式立面図である。
【図２】（ａ），（ｂ）はターンテーブル上のレーザポインタを水平方向に配置した様子を示す模式平面図及び模式側面図、（ｃ），（ｄ）はターンテーブル上のレーザポインタを鉛直方向に配置した様子を示す模式平面図及び模式側面図である。
【図３】本発明に係る位置出し装置により杭心位置出しを行う様子を示す模式平面図である。
【図４】本発明に係る位置出し装置の動作を説明する図である。
【符号の説明】
【００３６】
１…位置出し装置
２…脚
３…平板
３ａ…水平器
４，５…ターンテーブル
４ａ，５ａ…穴
６，７…レーザポインタ
６ａ，７ａ…レーザ光
８…回転操作機
９…基準補助点
10…計算機
11…受光部
11ａ…煙の入った透明な箱
12…信号変換駆動部
【図１】
2008292163.tif 000003
【図２】
2008292163.tif 000004
【図３】
2008292163.tif 000005
【図４】
2008292163.tif 000006